(57)【特許請求の範囲】
【請求項１】
開口部を有するケース内に、水和反応により発熱する発熱剤と、水が封入された水袋とが収納され、
前記水袋を破断するための破断用紐と、前記ケース内に収納され、前記破断用紐の一端を支持する破断用紐支持材とを具備する加熱ユニットであって、
前記ケースの前記開口部に防湿シートが貼着されていると共に、
前記破断用紐の他端が前記水袋の水が封入されていない部分を通り、前記防湿シートを貫通して前記ケースの外部に引き出され、
さらに、前記防湿シートの前記ケースと反対側に水蒸気透過シートが貼着され、
前記ケースの外部に引き出された前記破断用紐が、前記防湿シートと前記水蒸気透過シートとの間を通り、前記防湿シートと前記水蒸気透過シートとが形成されていない領域にまで配設され、
前記ケースの外部に引き出された前記破断用紐の他端を引っ張ることにより、前記防湿シートと前記水袋とを同時に破断することが可能な構造となっていることを特徴とする加熱ユニット。
【請求項２】
前記破断用紐支持材が、前記水袋の前記防湿シートと反対側に固定されていることを特徴とする請求項１に記載の加熱ユニット。
【請求項３】
請求項１から請求項２までのいずれか１項に記載の加熱ユニットと、該加熱ユニットを内部に収納する容器本体とを具備し、
前記加熱ユニットに備えられた前記破断用紐の他端が、前記容器本体を貫通して前記容器本体の外部に引き出されていることを特徴とする加熱容器。
【発明の詳細な説明】
【０００１】
【発明の属する技術分野】
本発明は加熱ユニット及び加熱容器に係り、特に、食材等の被加熱材を加熱することが可能な加熱ユニット、及びこの加熱ユニットを備えた加熱容器に関するものである。
【０００２】
【従来の技術】
食材（例えば、弁当）等の被加熱材を収納すると共に、収納した被加熱材を加熱することが可能な加熱容器として、水和反応により水蒸気と熱とを発生する水和反応式の加熱ユニットを備えた加熱容器が知られている。
水和反応式の加熱ユニットは、従来、生石灰等の発熱剤が封入された発熱剤袋と、水が封入された水袋と、これら発熱剤袋と水袋の双方を破断するための１本の破断用紐と、破断用紐の一端を支持する台紙等の破断用紐支持材とを具備すると共に、破断用紐の他端が、発熱剤袋と水袋の端部に各々形成された切り込み部を通り、加熱ユニットの外部にまで引き出されて構成されている。
【０００３】
そして、かかる構成の加熱ユニットを備えた従来の加熱容器においては、加熱ユニットの外部に引き出された破断用紐の他端を引っ張ることにより、加熱ユニット内の発熱剤袋と水袋とを同時に破断し、これら内部に封入された発熱剤と水とを接触させて水蒸気と熱とを発生させ、被加熱材を加熱することができる構造になっている。
【０００４】
【発明が解決しようとする課題】
上記従来の加熱容器においては、被加熱材を加熱する際に、発熱剤袋に封入された生石灰等の固形の発熱剤を、未反応の発熱剤が多量に残らないように、水袋に封入された水に接触させるため、発熱剤袋と水袋の端部に各々切り込み部を形成して１本の破断用紐を通し、この破断用紐を切り込み部が形成された側と反対側の端部近傍まで引っ張り、発熱剤袋と水袋の双方を大きく開裂させて、これら内部に封入された発熱剤と水とを接触させる必要があった。
【０００５】
しかしながら、発熱剤袋と水袋の双方を同一の破断用紐で破断しなければならないことに加えて、発熱剤袋には固形の発熱剤が多量に封入されているため、破断用紐を用いてこれらの袋を破断する際の抵抗が大きく、容易に引き裂くことができないという問題点があった。しかも、発熱剤袋と水袋とが十分に開裂したか否かを加熱容器の外部から視認することができない構造になっていたため、使用者が発熱剤袋と水袋とが十分開裂されていない状態で、破断用紐の引っ張りを終了してしまい、その結果、水に接触できない未反応の発熱剤が発熱剤袋内に多量に残存し、被加熱材が十分に加熱されない恐れがあった。
【０００６】
そこで、本発明は上記事情に鑑みてなされたものであり、被加熱材を加熱する際に、発熱剤を簡易にかつ確実に水和反応させることができる加熱ユニット、及びこれを備えた加熱容器を提供することを目的とする。
【０００７】
【課題を解決するための手段】
本発明の加熱ユニットは、開口部を有するケース内に、水和反応により発熱する発熱剤と、水が封入された水袋とが収納され、前記水袋を破断するための破断用紐と、前記ケース内に収納され、前記破断用紐の一端を支持する破断用紐支持材とを具備する加熱ユニットであって、前記ケースの前記開口部に防湿シートが貼着されていると共に、前記破断用紐の他端が前記水袋の水が封入されていない部分を通り、前記防湿シートを貫通して前記ケースの外部に引き出され、前記ケースの外部に引き出された前記破断用紐の他端を引っ張ることにより、前記防湿シートと前記水袋とを同時に破断することが可能な構造となっていることを特徴とする。
【０００８】
すなわち、本発明の加熱ユニットにおいては、開口部を有するケース内に、直接発熱剤を収納し、ケース内に収納した水袋を、破断用紐を用いて破断することにより、発熱剤と水とを接触させて水和反応させる構成としている。また、ケースの開口部に防湿シートを貼着し、これにより、加熱ユニットの外部から侵入する水分を遮断し、ケース内に収納された発熱剤が劣化することを防止する構成としている。さらに、防湿シートを貫通するように破断用紐を配設し、破断用紐を引っ張ることにより防湿シートと水袋とを同時に破断し、水和反応により発生した水蒸気と熱とを防湿シートが破断された箇所から加熱ユニットの外部に放出する構成としている。
【０００９】
本発明の加熱ユニットではかかる構成を採用しているので、固形の発熱剤が封入された発熱剤袋を破断する必要がなく、破断することが容易な水袋と防湿シートのみを破断すれば良いため、破断時の抵抗を著しく低減することができ、被加熱材を加熱する際に、発熱剤を簡易に水和反応させることができる。
【００１０】
さらに、水は固形の発熱剤と異なり流動性を有し、水袋を少し開裂するだけでも、水袋に封入された水が袋の外部に流出して周囲に広がるため、未反応の発熱剤が多量に残らないように発熱剤を確実に水和反応させることができる。したがって、本発明の加熱ユニットによれば、破断時の抵抗を著しく低減することができることに加えて、水袋を大きく開裂する必要がないため、被加熱材を加熱する際に、発熱剤を極めて簡易にかつ確実に水和反応させることができる。
【００１１】
また、従来は、発熱剤袋及び水袋を大きく開裂する必要があったため、これら袋の端部を通して破断用紐を配設する必要があった。これに対して、本発明の加熱ユニットでは、水袋を大きく開裂する必要がないので、例えば、水袋の中央部に水が封入されていない部分を設け、この部分に破断用紐を通すなど、破断用紐の配設パターンの設計自由度が高くなるという利点も得られる。
【００１２】
また、本発明の加熱ユニットにおいて、さらに、前記防湿シートの前記ケースと反対側に水蒸気透過シートを貼着し、前記ケースの外部に引き出された前記破断用紐を、前記防湿シートと前記水蒸気透過シートとの間を通して前記防湿シートと前記水蒸気透過シートとが形成されていない領域にまで配設することが好ましい。
【００１３】
かかる構成を採用した場合には、防湿シートのケースと反対側に、破断用紐により破断されない水蒸気透過シートが形成されるので、被加熱材を加熱する際に、加熱ユニットの外部に水蒸気と熱とが放出されることを阻害することなく、水和反応により生成される固形物等が加熱ユニットの外部に漏洩することを防止することができるので、好適である。また、防湿シートの破断された箇所から放出された水蒸気を分散させて、水蒸気透過シートから均一に放出し、被加熱材を均一に加熱することができるという効果も得られる。
【００１４】
また、本発明の加熱ユニットにおいて、前記破断用紐支持材が、前記水袋の前記防湿シートと反対側に固定されていることが好ましく、かかる構成を採用することにより、破断用紐により水袋を破断する際に、破断用紐支持材を水袋のストッパとして機能させることができ、破断用紐により水袋が押されて移動するだけで、水袋が破断されない場合が生じることを防止することができる。また、かかる構成を採用した場合には、水袋をケースに固定する、水袋のストッパを別部材で設ける等の必要がないため、構造の簡略化を図ることができる。
【００１５】
以上の本発明の加熱ユニットを備えることにより、以下の本発明の加熱装置を提供することができる。
本発明の加熱装置は、上記本発明の加熱ユニットと、該加熱ユニットを内部に収納する容器本体とを具備し、前記加熱ユニットに備えられた前記破断用紐の他端が、前記容器本体を貫通して前記容器本体の外部に引き出されていることを特徴とする。
この本発明の加熱容器は本発明の加熱ユニットを備えたものであるので、本発明の加熱ユニットと同様の効果を得ることができ、本発明によれば、被加熱材を加熱する際に、発熱剤を簡易にかつ確実に水和反応させることができる加熱容器を提供することができる。
【００１６】
【発明の実施の形態】
以下、本発明に係る実施形態について詳述する。
[加熱ユニット]
はじめに、図１、図２に基づいて、本発明に係る実施形態の加熱ユニットの構造について詳述する。図１は本実施形態の加熱ユニットの分解斜視図、図２は本実施形態の加熱ユニットに備えられた後述する水袋と破断用紐支持材とを破断用紐支持材側から見た時の概略平面図である。
【００１７】
図１に示すように、本実施形態の加熱ユニット１０は、図示上端に開口部１２を有するケース１１内の底部に、粒状の生石灰（酸化カルシウム）等からなり、水和反応により水蒸気と熱とを発生することが可能な発熱剤２０が収納され、この上（開口部１２側）に、水が封入された水袋３０が収納されて概略構成されている。ここで、水袋３０は、複数の樹脂層の間にアルミニウム等からなる水蒸気（水分）を透過しない防湿層を挟持した積層体等を熱溶着（ヒートシール）により袋状に形成し、その内部に水を封入したもので、水袋３０の図示右端部と図示左端部には、各々水が封入されていない熱溶着部３１Ａ、３１Ｂが形成されている。また、熱溶着部３１Ａの略中央部には、後述する破断用紐を挿通するための切り込み部３３が形成されている。
【００１８】
また、ケース１１の図示上端部には開口部１２の外周に沿って、ケース１１の側壁よりも幅広な平坦部１３が形成されており、この平坦部１３上に、水蒸気（水分）を透過しない防湿シート４０と水蒸気を透過する水蒸気透過シート５０とが順次貼着されている。ここで、防湿シート４０は複数の樹脂層の間にアルミニウム等からなる防湿層を挟持した積層体等からなり、その周縁部が熱溶着によりケース１１の平坦部１３に貼着されている。一方、水蒸気透過シート５０は不織布等からなり、その周縁部が、接着剤等からなるシール材５１を介して防湿シート４０に貼着されている。
【００１９】
なお、防湿シート４０と水蒸気透過シート５０とをケース１１の平坦部１３上に貼着する構成としては、上述のものに限定されるものではなく、例えば、防湿シート４０についても水蒸気透過シート５０と同様に、接着剤等からなるシール材を介してケース１１の平坦部１３に貼着する構成としても良い。
【００２０】
さらに、本実施形態の加熱ユニット１０には、水袋３０を破断するための破断用紐６０が備えられている。また、水袋３０の直下には、台紙等からなり、水袋３０よりも硬質な破断用紐支持材７０が設けられ、破断用紐６０の一端がこの破断用紐支持材７０に支持されている。
【００２１】
より詳細には、図１、図２に示すように、ホッチキス針等からなる固定具３２により、水袋３０の熱溶着部３１Ａに破断用紐支持材７０の一端部（図１においては図示右端部）７０Ａが固定され、破断用紐支持材７０の他端部（一端部７０Ａと反対側の端部）７０Ｂの略中央部に破断用紐６０の一端を支持するための切り込み部７１が形成されている。また、破断用紐６０の一端には、切り込み部７１の幅よりも大きい結び目６１が形成されており、この結び目６１をストッパとして機能させ、破断用紐支持材７０の切り込み部７１に破断用紐６０の一端を係止して支持する構成になっている。また、破断用紐６０の結び目６１が破断用紐支持材７０の裏面側（水袋３０と反対側）に位置するように、破断用紐６０は破断用紐支持材７０に支持されている。また、図１、図２に示すように、破断用紐支持材７０はその面積が水袋３０よりも小さく構成されている。
【００２２】
このように一端が破断用紐支持材７０により支持された破断用紐６０の他端は、図１、図２に示すように、破断用紐支持材７０の切り込み部７１を通り、破断用紐支持材７０の表面（水袋３０側）に引き出された後、破断用紐支持材７０の表面を通り、破断用紐支持材７０の一端部７０Ａの固定具３２が取り付けられていない箇所であって、水袋３０の切り込み部３３の略直下に位置する箇所から引き出されている。
【００２３】
そして、図１に示すように、破断用紐支持材７０から引き出された破断用紐６０の他端は、水袋３０の切り込み部３３に挿通され、水袋３０の表面側（防湿シート４０側）に引き出されている。さらに、水袋３０の表面側に引き出された破断用紐６０の他端は、防湿シート４０の一端部（図示右端部）４０Ａ側であって、水袋３０の切り込み部３３の略直上に形成された貫通孔４１を貫通して、ケース１１の外部に引き出されている。なお、防湿シート４０に形成された貫通孔４１は、破断用紐６０の外径と略同一の内径を有し、破断用紐６０と貫通孔４１との間にはほとんど隙間が形成されていない。また、ケース１１の外部に引き出された破断用紐６０の他端は、防湿シート４０と水蒸気透過シート５０との間を通り、防湿シート４０の他端部４０Ｂ側（一端部４０Ａと反対側）の防湿シート４０と水蒸気透過シート５０とが形成されていない領域にまで引き出されている。
【００２４】
このように、本実施形態の加熱ユニット１０において、破断用紐６０は、破断用紐支持材７０の表面に沿って配設された部分６０Ａと、破断用紐支持材７０の一端部７０Ａから防湿シート４０の貫通孔４１まで配設され、ケース１１の底部に対して略垂直方向に延在する部分６０Ｂと、防湿シート４０の表面に沿って配設された部分６０Ｃとから概略構成され、全体として略コ字状に配設されている。
【００２５】
なお、水蒸気透過シート５０は、破断用紐６０を上述のように配設した後に取り付けられており、水蒸気透過シート５０の裏面側（防湿シート４０側）の周縁部であって破断用紐６０が通っていない箇所がシール材５１を介して防湿シート４０に貼着されている。そして、かかる構成を採用することにより、破断用紐６０が加熱ユニット１０から引き出される位置を固定することができる。
【００２６】
本実施形態の加熱ユニット１０は以上のように構成され、加熱ユニット１０の外部に引き出された破断用紐６０の他端を引っ張ることにより、防湿シート４０と水袋３０とを同時に破断することができる構造になっている。
より詳細には、破断用紐６０の他端を引っ張ると、防湿シート４０はケース１１に固定されているため移動しないが、防湿シート４０の貫通孔４１を貫通している部分の破断用紐６０が引っ張られて防湿シート４０の他端部４０Ｂ側に向けて移動するため、防湿シート４０を破断することができる。
【００２７】
一方、水袋３０についても同様に、基本的には、水袋３０の切り込み部３３を挿通している部分の破断用紐６０が引っ張られて破断用紐支持材７０の他端部７０Ｂ側に移動するため、水袋３０を破断することができるが、水袋３０は軟質であるとともに、ケース１１に固定されていないため、破断用紐６０が引っ張られた方向に向けて、水袋３０が破断されないまま、水袋３０が移動してしまう場合がある。しかしながら、本実施形態では、水袋３０に硬質な破断用紐支持材７０を固定しているので、硬質な破断用紐支持材７０の他端部７０Ｂがケース１１の側壁に接した瞬間に、破断用紐支持材７０がストッパとして機能してこれらの移動が止まり、水袋３０の切り込み部３３を挿通している部分の破断用紐６０が引っ張られて破断用紐支持材７０の他端部７０Ｂ側に移動するため、確実に水袋３０を破断することができる。
【００２８】
このように、破断用紐６０を用いて防湿シート４０と水袋３０とを同時に開裂することにより、水袋３０に封入された水が袋の外部に流出し、水袋３０の下側に配置された発熱剤２０と接触する。その結果、発熱剤２０の水和反応が進行して水蒸気と熱とが発生し、発生した水蒸気と熱とが、防湿シート４０の開裂した箇所を通った後、水蒸気透過シート５０を透過して加熱ユニット１０の外部に放出され、被加熱材を加熱することができる。
【００２９】
本実施形態では以上の構成を採用しているので、従来と異なり、固形の発熱剤が封入された発熱剤袋を破断する必要がなく、破断することが容易な水袋３０と防湿シート４０のみを破断すれば良いため、破断時の抵抗を著しく低減することができ、被加熱材を加熱する際に、発熱剤２０を簡易に水和反応させることができる。
【００３０】
さらに、水は固形の発熱剤と異なり流動性を有し、水袋３０を少し開裂するだけでも、水袋３０に封入された水が袋の外部に流出して周囲に広がるため、未反応の発熱剤２０が多量に残らないように発熱剤２０を確実に水和反応させることができる。したがって、本実施形態の加熱ユニット１０によれば、破断時の抵抗を著しく低減することができることに加えて、水袋３０を大きく開裂する必要がないため、被加熱材を加熱する際に、発熱剤２０を極めて簡易にかつ確実に水和反応させることができる。
【００３１】
また、本実施形態の加熱ユニット１０においては、ケース１１の開口部１２に防湿シート４０を貼着する構成としているので、加熱ユニット１０の外部からケース１１内に侵入する水分を遮断し、ケース１１内に収納された発熱剤２０が劣化することを防止することができる。なお、防湿シート４０には貫通孔４１が形成されているが、上述したように、貫通孔４１は破断用紐６０の外径と略同一の内径を有し、破断用紐６０と貫通孔４１との間にはほとんど隙間が形成されていないため、貫通孔４１からケース１１内に侵入する水分は極めて微少である。
また、破断用紐６０により、水袋３０のみならず、水蒸気透過シート４０をも同時に破断する構成としているので、被加熱材を加熱する際には、防湿シート４０が、加熱ユニット１０の外部への水蒸気と熱との放出を阻害する恐れもない。
【００３２】
さらに、破断用紐６０を、防湿シート４０と水蒸気透過シート５０との間を通して配設しているため、破断用紐６０を引っ張った際に、防湿シート４０は破断されるが、水蒸気透過シート５０は破断されない。このように防湿シート４０のケース１１と反対側に、破断用紐６０により破断されない水蒸気透過シート５０を設けることにより、水和反応により生成される固形物等が加熱ユニット１０の外部に漏洩することを防止することができるので、好適である。なお、水蒸気透過シート５０は水蒸気を透過するため、水蒸気透過シート５０が、加熱ユニット１０の外部への水蒸気と熱との放出を阻害する恐れはない。また、防湿シート４０の破断された箇所から放出された水蒸気を分散させて、水蒸気透過シート５０から均一に放出し、被加熱材を均一に加熱することができるという効果も得られる。
【００３３】
このように、防湿シート４０のケース１１と反対側に水蒸気透過シート５０を設けることは好適であるが、本発明はこれに限定されるものではなく、水和反応により生成した固形物等が加熱ユニット１０の外部に漏洩しても支障がない場合には、水蒸気透過シート５０を設けなくても良い。
【００３４】
また、本実施形態の加熱ユニット１０においては、破断用紐支持材７０を水袋３０の裏面側に固定する構成としたので、破断用紐６０により水袋３０を破断する際に、破断用紐支持材７０を水袋３０のストッパとして機能させることができ、破断用紐６０により水袋３０が押されて移動するだけで、水袋３０が破断されない場合が生じることを防止することができる。また、かかる構成を採用することにより、水袋３０をケース１１に固定する、水袋３０のストッパを別部材で設ける等の必要がないため、構造の簡略化を図ることができる。
【００３５】
なお、本実施形態では、破断用紐支持材７０の一端部７０Ａをホッチキス針等の固定具３２により水袋３０の熱溶着部３１Ａに固定する構成としたが、本発明はこれに限定されるものではなく、水袋３０と破断用紐支持材７０とを接着剤等からなるシール材を介して貼着するなど、いかなる方法により固定しても良い。また、固定箇所についても、破断用紐支持材７０の他端部７０Ｂを水袋３０の熱溶着部３１Ｂに固定するなど、いかなる箇所で固定しても良い。
【００３６】
また、上述のように、水袋３０と破断用紐支持材７０とを固定することは好適であるが、本発明はこれに限定されるものではなく、構造は複雑化するが、水袋３０と破断用紐支持材７０とを固定せず、水袋３０をケース１１に固定する、水袋３０のストッパを別部材で設ける等の構成を採用しても良い。
【００３７】
また、従来は、発熱剤袋及び水袋を大きく開裂する必要があったため、これら袋の端部を通して破断用紐を配設する必要があった。これに対して、本実施形態の加熱ユニット１０では、上述のように水袋３０を大きく開裂する必要がないので、例えば、水袋３０の中央部に水が封入されていない熱溶着部を設け、この熱溶着部に破断用紐６０を通すなど、破断用紐６０の配設パターンの設計自由度が高くなるという利点も得られる。
【００３８】
また、水袋３０は、最大で破断用紐支持材７０の一端部７０Ａから切り込み部７１までの長さＬだけ開裂することができるが、本実施形態では、上述のように水袋３０を大きく開裂する必要がないので、このＬを小さく設定することができ、破断用紐支持材７０の面積を水袋３０よりも小さく構成することができる。その結果、水袋３０から流出した水を効率良く発熱剤２０に接触させることができると共に、破断用紐支持材７０の原料コストの削減を図ることができる。なお、水袋３０や破断用紐支持材７０の形状は図示するものに限定されるものではなく、適宜設計することが可能である。
【００３９】
さらに、本実施形態では、破断用紐６０の一端に結び目６１を形成し、破断用紐支持材７０に形成した切り込み部７１に破断用紐６０の一端を係止する構成としたので、破断用紐６０を引っ張り、防湿シート４０と水袋３０とを破断した後、破断用紐６０を強く引っ張ることにより、破断用紐６０の結び目６１を破断用紐支持材７１から引き抜き、破断用紐６０を加熱ユニット１０から取り外すことができる。そして、かかる構成とした場合には、破断用紐６０を引っ張った後、加熱ユニット１０若しくは加熱ユニット１０を備えた加熱容器から破断用紐６０が長々と垂れ下がり、美観を損ねることを防止することができる。
【００４０】
なお、破断用紐６０の一端を破断用紐支持材７０に係止する構成は、本実施形態で説明したものに限定されるものではなく、破断用紐６０の一端を破断用紐支持材７０に係止することができれば、いかなる構成を採用しても良い。また、本発明は、破断用紐６０の一端を破断用紐支持材７０に係止する場合に限定されるものではなく、破断用紐６０の一端を破断用紐支持材７０に接着力の弱い接着剤等を介して緩やかに固定し、破断用紐６０を強く引っ張った際には、破断用紐６０の一端が破断用紐支持材７０から外れるように構成しても、本実施形態と同様の効果を得ることができる。
【００４１】
また、本発明は、破断用紐６０を強く引っ張ることにより、破断用紐６０の一端が破断用紐支持材７０から外れるように構成する場合に限定されるものではなく、破断用紐６０を引っ張った後、加熱ユニット１０若しくは加熱ユニット１０を備えた加熱容器から長々と破断用紐６０が垂れ下がり、美観を損ねることを防止することはできないが、破断用紐６０の一端を破断用紐支持材７０に接着力の強い接着剤やホッチキス針等を用いて完全固定する構成としても良い。
【００４２】
また、本実施形態においては、ケース１１の底部が平坦な場合についてのみ説明したが、本発明はこれに限定されるものではなく、図３（ａ）、（ｂ）に示すように、ケース１１の底部に仕切り材１１Ｂにより仕切られた複数の発熱剤収納室１１Ａを形成し、各発熱剤収納室１１Ａに分けて発熱剤２０を収納する構成としても良い。なお、図３（ａ）は、加熱ユニット１０を構成するケース１１のその他の構造例に発熱剤２０を収納した状態を示す概略斜視図、図３（ｂ）は図３（ａ）に示すケース１１を図３（ａ）のＡ−Ａ’線に沿って切断した時の概略断面図である。
ケース１１をかかる構成とし、各発熱剤収納室１１Ａに分けて発熱剤２０を収納する場合には、発熱剤２０が一方に片寄ってしまうことがないので、加熱ユニット１０から水蒸気を均一に放出し、被加熱材を均一に加熱することができるという効果を得ることができ、好適である。
【００４３】
[加熱容器]
次に、図４に基づいて、本発明に係る実施形態の加熱容器の構造について詳述する。図４は、本実施形態の加熱容器の分解斜視図である。なお、以下に示す加熱容器は一例であって、本発明の加熱容器はこれに限定されるものではない。
図４に示すように、本実施形態の加熱容器１００は、図示上端に開口部８１を有する容器本体８０内に、その底部側から、上記実施形態の加熱ユニット１０と、食材等の被加熱材を収納することが可能な被加熱材容器９０とが順次収納され、容器本体８０の開口部８１側端部には取り外し可能な蓋体８２が取り付けられて概略構成されている。
【００４４】
ここで、容器本体８０及び蓋体８２はいずれも発泡樹脂等からなり、加熱容器１００の内部の保温性が高くなるように構成されている。また、被加熱材容器９０は図示上端が開口したケースからなり、その側壁外側には複数の凹部９１が形成され、これら凹部９１と容器本体８０の側壁との間に上下に連通する孔部が形成されるようになっている。
また、容器本体８０には、加熱ユニット１０から破断用紐６０が引き出された側の側壁に貫通孔８３が形成され、加熱ユニット１０から引き出された破断用紐６０がこの貫通孔８３を貫通して容器本体８０の外部に引き出されている。
【００４５】
本実施形態の加熱容器１００は以上のように構成され、被加熱材容器９０内に被加熱材を収納し、蓋体８２を取り付けた状態で、容器本体８０から引き出された破断用紐６０を引っ張ることにより、上述のように、加熱ユニット１０から水蒸気と熱とを発生させることができ、発生した水蒸気と熱とが被加熱材容器９０の凹部９１と容器本体８０との間に形成された孔部を通って、被加熱材容器９０内に導かれ、被加熱材容器９０に収納された被加熱材を加熱することが可能な構造になっている。また、被加熱材として食材を収納する場合には、発生した水蒸気と熱により、食材を蒸して調理することも可能である。
なお、被加熱材を蒸す必要がなく、被加熱材容器９０の下側からのみ加熱するだけでも十分加熱できる場合には、被加熱材容器９０の側壁外側に凹部９１を設けず、被加熱材容器９０の下側からのみ加熱する構成としても良い。
【００４６】
本実施形態の加熱容器１００は上記実施形態の加熱ユニット１０を備えたものであるので、加熱ユニット１０と同様の効果を得ることができ、本発明によれば、被加熱材を加熱する際に、発熱剤を簡易にかつ確実に水和反応させることができる加熱容器１００を提供することができる。
【００４７】
【発明の効果】
以上詳述したように、本発明の加熱ユニットによれば、開口部を有するケース内に、直接発熱剤を収納し、ケース内に収納した水袋を、破断用紐を用いて破断することにより、発熱剤と水とを接触させて水和反応させる構成としたことにより、破断時の抵抗を著しく低減することができると共に、水袋を大きく開裂する必要がないため、被加熱材を加熱する際に、発熱剤を極めて簡易にかつ確実に水和反応させることができる。
また、本発明の加熱容器は本発明の加熱装置を備えたものであるので、本発明の加熱ユニットと同様の効果を得ることができる。
【図面の簡単な説明】
【図１】  図１は、本発明に係る実施形態の加熱ユニットの分解斜視図である。
【図２】  図２は、本発明に係る実施形態の加熱ユニットに備えられた水袋と破断用紐支持材とを破断用紐支持材側から見た時の概略平面図である。
【図３】  図３（ａ）、（ｂ）は、各々、本発明に係る実施形態の加熱ユニットを構成するケースのその他の構造を示す概略斜視図、概略断面図である。
【図４】  図４は、本発明に係る実施形態の加熱容器の分解斜視図である。
【符号の説明】
１０  加熱ユニット
１１  ケース
１２  ケースの開口部
２０  発熱剤
３０  水袋
４０  防湿シート
４１  貫通孔
５０  水蒸気透過シート
６０  破断用紐
７０  破断用紐支持材
１００  加熱容器
８０  容器本体
９０  被加熱材容器
８２  蓋体
【図１】
0003686930.tif 000002
【図２】
0003686930.tif 000003
【図３】
0003686930.tif 000004
【図４】
0003686930.tif 000005